【事件の表示】
　特許第２９８２０２８号「パチンコ機」の請求項１に係る特許に対する特許異議の申立てについて、次のとおり決定する。
【結　論】
　訂正を認める。
　特許第２９８２０２８号の請求項１に係る特許を取り消す。
【理　由】
１．手続の経緯
　本件特許第２９８２０２８号の請求項１に係る発明は、平成３年６月１４日に出願され、平成１１年９月２４日にその設定登録がなされ、その後、細江裕実より特許異議の申立てがなされ、平成１２年１０月１７日付けで取消理由通知がなされ、その指定期間内である平成１２年１２月２５日に訂正請求がなされ、これについて平成１３年７月９日付けで訂正拒絶理由通知を兼ねた再度の取消理由通知がなされ、その指定期間内である平成１３年９月２５日にあらためて訂正請求がなされたものである。
　　　　
２．訂正の適否についての判断
　（１）訂正の内容
　平成１３年９月２５日の訂正請求の内容は以下のとおりのものである。
　i．訂正事項ａ
　特許明細書の特許請求の範囲の請求項１の記載を、
　「【請求項１】　遊技盤の遊技部を避けた位置に開口部を設けると共に、この開口部を透光性のケース体で被覆したパチンコ機において、外部からの電源を中継して枠制御基板及び遊技盤制御基板へ分電する配線接続端子及びホールコンピュータとパチンコ機との間で信号やデータの中継を行う配線接続端子並びにパワースイッチを設けた端子基板の表面側に発光体を配設し、この端子基板を上記発光体が上記開口部に臨むように、外枠に対して開閉自在な前枠の背面側に設けた機構枠体に取り付けたことを特徴とするパチンコ機。」
と訂正する。
　ii．訂正事項ｂ  
　特許明細書の段落【０００５】を、
「【課題を解決するための手段】　本発明は、上記に鑑み提案されたもので、遊技盤の遊技部を避けた位置に開口部を設けると共に、この開口部を透光性のケース体で被覆したパチンコ機において、外部からの電源を中継して枠制御基板及び遊技盤制御基板へ分電する配線接続端子及びホールコンピュータとパチンコ機との間で信号やデータの中継を行う配線接続端子並びにパワースイッチを設けた端子基板の表面側に発光体を配設し、この端子基板を上記発光体が上記開口部に臨むように、外枠に対して開閉自在な前枠の背面側に設けた機構枠体に取り付けたものである。」と訂正する。
　iii．訂正事項ｃ
　特許明細書の段落【０００６】を、
「【作用】　端子基板の表面側に発光体を配設し、この端子基板を上記発光体が上記開口部に臨むように、外枠に対して開閉自在な前枠の背面側に設けた機構枠体に取り付けたので、端子基板の表面側に配置した発光体が開口部に臨み、この発光体が発する光を、遊技部を避けた位置に開設した開口部から透光性を有するケース体を介して視認することができると共に、端子基板に設けた配線接続端子により電気機器の配線を接続可能であり、端子基板の表面側及び裏面側を有効活用する。」と訂正する。
　iv．訂正事項ｄ
　特許明細書の段落【００６１】を、
「【発明の効果】　以上要するに本発明は、遊技盤の遊技部を避けた位置に開口部を設けると共に、この開口部を透光性のケース体で被覆したパチンコ機において、外部からの電源を中継して枠制御基板及び遊技盤制御基板へ分電する配線接続端子及びホールコンピュータとパチンコ機との間で信号やデータの中継を行う配線接続端子並びにパワースイッチを設けた端子基板の表面側に発光体を配設し、この端子基板を上記発光体が上記開口部に臨むように、外枠に対して開閉自在な前枠の背面側に設けた機構枠体に取り付けたので、パチンコ機における表示灯を簡単に構成することができ、発光体が破損した場合であっても、容易に交換可能であり、製造時の組立作業、遊技店における維持・管理作業等、作業能率が著しく向上する。」と訂正する。
　　　
　（２）訂正の目的の適否、新規事項の有無及び拡張変更の存否
　上記訂正事項ａは、特許明細書の特許請求の範囲の請求項１に記載の「開口部」、「端子基板」及び「開閉自在な枠体」の構成を、それぞれ、「遊技盤に設けた開口部」、「外部からの電源を中継して枠制御基板及び遊技盤制御基板へ分電する配線接続端子及びホールコンピュータとパチンコ機との間で信号やデータの中継を行う配線接続端子並びにパワースイッチを設けた端子基板」及び「外枠に対して開閉自在な前枠の背面側に設けた機構枠体」と具体的に限定するものであるから、特許請求の範囲の減縮及び明りょうでない記載の釈明を目的とするものであり、また、上記訂正事項ｂ乃至ｄは、特許請求の範囲の請求項１の減縮及び明りょうでない記載の釈明に伴って、訂正された特許請求の範囲の記載と、発明の詳細な説明に記載の【課題を解決するための手段】、【作用】及び【発明の効果】とを整合させるために訂正する、明りょうでない記載の釈明を目的とするものであり、そして、これらの訂正事項ａ乃至ｄは、特許明細書に記載された事項の範囲内において訂正するものであるから新規事項の追加に該当せず、また、実質上特許請求の範囲を拡張し又は変更するものでもない。
　　　
　（３）むすび
　したがって、上記訂正は特許法第１２０条の４第３項で準用する平成６年法律第１１６号による改正前の特許法第１２６条第１項ただし書き及び第２項の規定に適合するので、当該訂正を認める。
　　　　
３．特許異議申立てについての判断
　（１）本件発明
　本件請求項１に係る発明は、その訂正明細書及び図面の記載からみて、その特許請求の範囲の請求項１(前記２．(１)i．訂正事項ａ参照）に記載された事項により特定されるものである。(以下、「本件発明」という。)
　　　　
　（２）取消理由の概要 
　当審が平成１３年７月９日付けで通知した取消理由は、本件発明は、下記の刊行物１乃至４に記載された発明に基づいて容易に発明をすることができたものであるから、本件発明の特許は、特許法第２９条第２項の規定に違反してなされたものであり、取り消されるべきというものである。
　刊行物１：実願昭６２−７８４０４号（実開昭６３−１８６４７８号）
　　　　　　のマイクロフィルム（甲第１号証）
　刊行物２：特開昭６２−１４８７８号公報（甲第５号証）
　刊行物３：実願昭６３−１１７８３８号（実開平２−３９７８３号）
　　　　　　のマイクロフィルム（甲第３号証）
　刊行物４：実願昭６２−３８１５４号（実開昭６３−１４６６８８号）
　　　　　　のマイクロフィルム
　　　　
　（３）刊行物１に記載の発明
　i．刊行物１〔実願昭６２−７８４０４号（実開昭６３−１８６４７８号）のマイクロフィルム〕には、以下の記載が認められる。
　「（１）機枠と、賞品球を溜めておく上部球受タンク等が配置され、前記機枠に開閉自在に設けられた機構板と、遊技球の発射や賞品球の排出等を行うための各種の電気機器や装置とを備えるパチンコ遊技機において、複数の電気部品と、該電気部品及び前記電気機器や装置への接続を中継する接続手段と、前記電気部品と前記接続手段への配線に用いるプリント基板とを一体的に組み立て、且つ前記機構板に着脱自在に取り付けた端子ユニットを設けたことを特徴とするパチンコ遊技機。
（２）前記複数の電気部品は、表示灯とヒューズとを含むものであることを特徴とする実用新案登録請求の範囲第１項記載のパチンコ遊技機。・・・
（５）前記接続手段は、電源の供給を受けるためのものと、該電源を分配するためのものと、遊技内容の制御や遊技球の管理に関する信号を中継するためのものとを含むものであることを特徴とする実用新案登録請求の範囲第１項乃至第４項の何れかに記載のパチンコ遊技機。」（刊行物１第１頁第５行〜第２頁第１４行）、
　「以下に本考案の１実施例を第１図乃至第４図を参照して説明する。第３図は、本考案の１実施例であるパチンコ遊技機の部分概略斜視図である。第３図において１１はパチンコ遊技機の機枠、１２は上部球受タンク１３や賞球排出装置１４が配置されている開閉自在な機構板、１５は該機構板１２に取り付けられた端子ユニットである。尚、パチンコ遊技機にはその他に各種の入賞口が配置された遊技盤や遊技内容を制御する制御装置等が設けられているが、良く知られているので、その詳細な説明は省略する。
　第１図は本考案の１実施例であるパチンコ遊技機の端子ユニットの斜視図、第２図はその裏面図である。第１図、第２図において、１はユニット本体、２はプリント基板、Ｆはヒューズ、Ｔは差込式のカプラー、Ｌ１は賞品球の排出を検出する図示しない検知スイッチからの信号により点灯するランプ、Ｌ２は上部球受タンクに遊技球がなくなったときに点灯するランプである。尚、３は端子ユニット１５を機構板１２に取り付けるための取付穴である。」（同第６頁第１８行〜第７頁第１８行）、
　「第４図は本考案の１実施例であるパチンコ遊技機の端子ユニットの回路図である。第４図において、Ｔａは外部からの電源を受けるカプラー、ＴｂはカプラーＴａからの電源をヒューズＦを介して遊技内容を制御する図示しない制御装置へ電源を供給するカプラー、Ｔｃ１・Ｔｃ２は遊技球を発射する図示しない発射モータ、賞品球を排出する図示しない排出モータ及び図示しないタッチスイッチに電源を供給するカプラー、Ｔｃ３は賞品球の払出を検知する図示しない検知スイッチへの接続を中継するカプラー、Ｔｃ４は発射モータを駆動する図示しないメインスイッチへの接続を中継するカプラー、Ｔｄ１・Ｔｄ２は金枠が開状態となったときに警報を発する図示しない金枠防犯制御装置へ電源を供給するカプラー、Ｔｄ３は発射モータが作動していることを表示する図示しない表示灯への接続を中継するカプラー、Ｔｅ１・Ｔｅ２とＴｆとは上部球受タンク１３が空になったときに外部の装置、たとえばパチンコ遊技機管理用のコンピュータに送る球切情報を中継するカプラー、Ｔｅ３・Ｔｅ４は上部球受タンク１３が空になったときにランプＬ２を点灯するために、上部球受タンク１３が空になったことを検知する図示しない検知スイッチへの接続を中継するカプラーである。」（同第８頁第１９行〜第１０頁第３行）。
　　　
　ii．刊行物１における前記摘示の記載及び図面第１図乃至第４図によれば、刊行物１には、以下の発明が記載されているものと認められる。
　「外部からの電源を中継して遊技盤制御装置及び金枠防犯制御装置等へ分電する配線接続端子（Ｔａ，Ｔｂ，Ｔｃ１，Ｔｃ２，Ｔｄ１，Ｔｄ２）及び管理用コンピュータとパチンコ遊技機との間で遊技球の管理に関する球切情報の中継を行う配線接続端子（Ｔｅ１，Ｔｅ２，Ｔｆ）を設けた端子ユニット（１５）の側部に遊技盤側を向くように賞品球排出表示ランプ（Ｌ１）及び球切表示ランプ（Ｌ２）を配設し、この端子ユニット（１５）を機枠（１１）に対して開閉自在な機構板（１２）の背面側に取り付けたパチンコ遊技機。」(以下、「引用発明」という。)
  　　　
　（４）刊行物２に記載の発明
　i．刊行物２〔特開昭６２−１４８７８号公報〕には、以下の記載が認められる。
　「第１６図および第１７図は、この発明の他の実施例の可変表示器付遊技機を示しており、特に、第１６図はガラス板取付枠および前面板を開いた状態を示す正面図であり、第１７図は、ケーシングの裏側から見た状態を示す斜視図である。
　第１６図および第１７図を参照して、可変表示器付遊技機６００は、主枠部材６１０を含む。主枠部材６１０は、その前面にガラス板を保持するガラス板取付枠６１１を開閉自在に設けるとともに前面板６１２を開閉自在に設け、その下方に打球ハンドル６１３と、玉皿６１４を固着し、該玉皿６１４の上部に余剰玉放出口６１５を穿設して構成される。この前面板６１２には、賞品玉放出口７２２が形成される。前面板６１２の裏側には、１ゲームに要する所定数のパチンコ玉を取込みかつ１個順次に後述の発射点レール８４１へ供給するための打球供給装置７２３が設けられる。この打球供給装置７２３は、パチンコ玉を１個順次整列する径路（図示せず）を内蔵し、その径路の終端に玉出口７２４を形成し、径路の途中に作動ピン挿通口７２５を形成して構成される。
　遊技盤６２０は、遊技盤のほぼ中央部に可変表示機の一例の組合わせ表示器６２１が関連的に設けられる。この組合わせ表示器６２１は、後述の玉受口６３５に対応する複数の表示部を含み、その前面に玉受け口６３５に対応する識別情報（たとえば数字）の描かれた表示板を設け、その裏側に表示ランプ（または発光ダイオード）を設けて構成される。なお、好ましくは、各表示部の裏側に内蔵される表示ランプが後述の機構板６４０に配設される。また、遊技盤６２０の前面側には、パチンコ玉の通過できる領域を規制するためのガイドレール６２２が円弧状に形成され、打球されたパチンコ玉を遊技盤へ導くための内側レール６２２’がガイドレール（すなわち外側レール）６２２の左側下部から上部に沿って形成される。このガイドレール６２２と内側レール６２２’とで挟まれる部分が発射玉誘導径路６２３として働く。また、遊技盤６２０の下方には、後述のケーシング６３０に形成された通過領域の一例の玉受口６３５が挿通される。さらに、遊技盤６２０におけるガイドレール６２２の外側上部には、後述の機構板６４０に取付けられる得点表示器６４５を透視するための窓６２５と、打止または１回のゲーム終了を知らせる表示器６４６を透視するための窓６２６が穿設される。
　なお、必要に応じて、遊技盤６２０のガイドレール６２２で囲まれる内側には、パチンコ玉の落入に応じて嘴状部を開いて入賞しやすくしかつ落入したパチンコ玉に応じて所定数の賞品玉を払出すための入賞玉装置（通称ヤクモノ）６２７を複数個（図示では３個）配設したり、パチンコ玉の入賞によって賞品玉を払出す条件を定められかつ入賞したパチンコ玉を裏面側へ導くセーフ孔を形成してもよい。
　ケーシング６３０は、遊技盤６２０の厚さよりもやや深く形成し、遊技盤６２０のガイドレール６２２で囲まれた部分に対応する部分よりもやや大きな開口部が形成される。そして、ケーシング６３０の左右の側壁には、遊技盤６２０を窪み部分に嵌め込んだ状態で遊技盤６２０を装着保持しかつ台交換に際して遊技盤６２０のみを交換自在とするために、遊技盤６２０を着脱自在に保持する保持金具８３３〜８３４（図示では、８３１および８３２だけが見えている）が回動自在に設けられる。また、ケーシング６３０の前面側に支持板６３４が類着される。この支持板６３４の前面には、パチンコ玉を打球杆で打球する際の発射点レール８４１が類着されるとともに、発射点レール８４１から発射された玉のうち打球力が弱くて発射玉誘導径路６２３を逆戻りした玉を導くための合流樋８４２が類着され、発射点レール８４１の下側位置に作動ピン８４３が類着される。開口部６３２の下方には、複数の玉受口６３５がケーシング６３０の窪み部分の面より前面側に突出して設けられ、遊技盤６２０の盤面に沿って落下するパチンコ玉を受けるように働く。この玉受口６３５に関連して、各玉受口を通過した通過玉を検出するための検出スイッチ（図示せず）が裏面側に設けられる。この玉受口６３５の前面には、各玉受口を特定するための識別情報を付ける必要があるため、各玉受口に対応する位置に識別情報を描いた飾り板７１２がガラス板取付枠６１１の下方に着脱自在に装着される。また、ケーシング６３０の裏面には、係合孔の形成された係合部材８６１〜８６４が類着される。また、ケーシング６３０の裏面の右側上部と下部には、機構板６４０を回動自在に装着するための支持金具８７１，８７２が固着される。このようにして構成されたケーシング６３０は、遊技盤６２０を装着した状態で、主枠部材６１０の裏面側にねじ止め等によって装着される。なお、ケーシング６３０を主枠部材６１０に装着する他の方法として、裏面側から見て右側に蝶番などを設け、左側にロック機構を設けて回動自在に装着してもよい。
　前記機構板６４０は、前記支持金枠８７１，８７２に回動自在に装着するための金具９１１，９１２がその上下の一方側端（図示では前面側から見て左側）に固着される。この機構板６４０の前面側には、前記遊技盤に形成された組合わせ表示器６２１の各表示部に対応する部分に複数の表示ランプ６４２を装着し、ケーシング６３０に固着されている複数の玉受口６３５の下方に対応する位置に玉寄せ径路９３１を形成する。この玉寄せ径路９３１で集められた玉が流下口９３２から径路９３３を介して回収される。一方、遊技者によって打たれた玉が玉受口６３５に達する前に、遊技盤６２０に配設された入賞孔または入賞球装置６２７へ入賞すると、玉寄せ径路９３４で集められ、機構板６４０に配設された入賞球処理装置（図示の９３６部分内に封入されている）を作動させた後、径路９３７を介して回収される。
　また、機構板６４０の賞品玉放出口７２２に対応する部分には、賞品玉放出口６４４が形成される。さらに、機構板６４０の前面上部には、前記窓６２５，６２６に対応して、得点表示器６４５と表示器６４６とが左右に設けられる。一方、機構板６４０の裏面上部には、賞品玉を貯留するための貯留タンク６４７が形成される。貯留タンク６４７の下方には、貯留タンク６４７で貯留されている賞品玉を整列する整列径路（図示せず）が設けられ、整列径路の終端に賞品玉放出機構（図示せず）が配設される。
　そして、主枠部材６１０の裏側にケーシング６３０を装着し、ケーシング６３０の裏側に機構板６４０を装着することにより、この実施例の可変表示器付遊技機６００が構成される。なお、このようにして構成された可変表示器付遊技機６００は、複数台のパチンコ機を並べて島を構成する島枠部材（図示せず）に、枠部材本体６１０が開閉自在に装着される。」（刊行物２第９頁右下欄第１３行〜第１１頁左下欄第３行）
　　　
　ii．刊行物２における前記摘示の記載及び図面第１６図及び第１７図によれば、刊行物２には、以下の発明が記載されているものと認められる。
　「遊技盤（６２０）におけるガイドレール（６２２）の外側上部に窓（６２５，６２６）を設けたパチンコ機において、機構板（６４０）の前面上部に上記窓（６２５，６２６）に対応して表示器（６４５，６４６）を配設し、上記表示器（６４５，６４６）を上記窓（６２５，６２６）に臨むように、島枠部材に対して開閉自在な主枠部材（６１０）の背面側に設けたケーシング（６３０）を介して上記機構板（６４０）に取り付けたパチンコ機。」
　　　　　
　（５）本件発明と引用発明との対比検討
　i．本件発明と引用発明との対比
　本件発明と引用発明とを対比すると、引用発明における、「外部からの電源を中継して遊技盤制御装置へ分電する配線接続端子（Ｔａ，Ｔｂ）」、「管理用コンピュータとパチンコ遊技機との間で遊技球の管理に関する球切情報の中継を行う配線接続端子（Ｔｅ１，Ｔｅ２，Ｔｆ）」、「端子ユニット（１５）」、「賞品球排出表示ランプ（Ｌ１）及び球切表示ランプ（Ｌ２）」、「機枠（１１）」、「機構板（１２）」、「パチンコ遊技機」は、それぞれ、本件発明における、「外部からの電源を中継して遊技盤制御基板へ分電する配線接続端子」、「ホールコンピュータとパチンコ遊技機との間で信号やデータの中継を行う配線接続端子」、「端子基板」、「発光体」、「外枠」、「機構枠体」、「パチンコ機」に相当する。
　そうすると、本件発明と引用発明の両者は、以下の点でそれぞれ、一致ならびに相違するものと認められる。
　　　　
　ii．一致点及び相違点
　一致点．「外部からの電源を中継して遊技盤制御基板へ分電する配線接続端子及びホールコンピュータとパチンコ機との間で信号やデータの中継を行う配線接続端子を設けた端子基板に発光体を配設し、この端子基板を外枠に対して開閉自在な関係にある機構枠体に取り付けたパチンコ機。」
　　　
　相違点Ａ．本件発明は、遊技盤の遊技部を避けた位置に開口部を設け、この開口部を透光性のケース体で被覆するとともに、発光体が上記開口部に臨む構成であるのに対して、引用発明は、前記構成が明らかでない点。
　相違点Ｂ．本件発明は、外部からの電源を中継して枠制御基板及び遊技盤制御基板へ分電する配線接続端子並びにパワースイッチを端子基板に設ける構成であるのに対して、引用発明は、前記構成を備えていない点。
　相違点Ｃ．本件発明は、端子基板の表面側に発光体を配設する構成であるのに対して、引用発明は、端子基板の側部に遊技盤側を向くように発光体を配設する構成である点。
　相違点Ｄ．本件発明は、端子基板を外枠に対して開閉自在な前枠の背面側に設けた機構枠体に取り付けた構成であるのに対して、引用発明は、端子基板を外枠に対して開閉自在な機構枠体に取り付けた構成である点。
　　　
　iii．相違点の検討
　（ア）相違点Ａについて
　刊行物２に記載の発明には、上記のように、パチンコ機の遊技盤におけるガイドレールの外側上部、すなわち、遊技盤の遊技部を避けた位置に、窓（本件発明の「開口部」に相当。）を設け、表示器（本件発明の「発光体」に相当。）が窓（本件発明の「開口部」に相当。）に臨む周知の構成が開示されており、また、発光体用の開口部を透光性のケース体で被覆することは、本件発明の出願日前に周知（例えば、刊行物３〔実願昭６３−１１７８３８号（実開平２−３９７８３号）のマイクロフィルム〕）の技術であるから、引用発明における発光体に対する遊技盤の構成について、相違点Ａにかかる本件発明の構成のようにすることは、当業者が容易に想到できるものと認められる。
　　　
　（イ）相違点Ｂについて
　外部からの電源を本機に中継する端子基板にパワースイッチを設けることは、電気機器一般における慣用技術であって、パチンコ機においても適宜に採用すべき事項（例えば、特開平３−２９６７８号公報参照）に過ぎないし、また、パチンコ機の制御装置をパチンコ機本体の制御処理を行う枠制御基板と遊技盤の制御を行う遊技盤制御基板とから構成することは周知（例えば、特開昭６４−５５８０号公報、特開平１−１７０４８７号公報）の形態であって、しかも、引用発明には、外部からの電源を遊技盤制御装置及び金枠防犯制御装置というパチンコ機を構成する複数の制御装置へ分電する配線接続端子を設けた端子ユニットが開示されているところからして、引用発明におけるパチンコ機の制御装置として、枠制御基板と遊技盤制御基板とから構成する前記周知の形態を採用するとともに、そのパチンコ機の端子基板に各制御基板へ分電する配線接続端子並びにパワースイッチを設けるようにして、相違点Ｂにかかる本件発明の構成のようにすることは、当業者が容易に想到できるものと認められる。
　　　
　（ウ）相違点Ｃについて
　端子基板に発光体を配設するときに、端子基板の側部に代えて端子基板の表面側に配設することは、遊技盤側を向くように発光体を配設する作用目的及び採用する発光体の形状機能等を考慮して当業者が適宜になしうる単なる設計的事項と認められる。
　　　　
　（エ）相違点Ｄについて
　刊行物２に記載の発明には、上記のように、表示器（本件発明の「発光体」に相当。）を島枠部材（本件発明の「外枠」に相当。）に対して開閉自在な主枠部材（本件発明の「前枠」に相当。）の背面側に設けた機構板（本件発明の「機構枠体」に相当。）に取り付けたパチンコ機が開示されており、また、配線接続端子及び発光体を配設した端子基板を外枠に対して開閉自在な前枠の背面側に設けた機構枠体に取り付けたパチンコ機は周知（例えば、刊行物４〔実願昭６２−３８１５４号（実開昭６３−１４６６８８号）のマイクロフィルム〕、特開平１−２３６０８０号公報）の技術であるから、引用発明における端子基板を取り付ける機構枠体について前記周知技術を採用して、相違点Ｄにかかる本件発明の構成のようにすることは、当業者が容易に想到できるものと認められる。
　　　
　（オ）作用効果について
　本件発明における、パチンコ機における表示灯を簡単に構成することができ、発光体が破損した場合であっても、容易に交換可能であり、製造時の組立作業、遊技店における維持・管理作業等、作業能率が著しく向上するという作用効果は、引用発明のパチンコ機に示される、電源及び信号の中継を行う配線接続端子と遊技盤側に臨む発光体とを配設した端子基板を機構枠体に取り付けた基本的構成に基づき、これに前記相違点Ａ乃至Ｄの検討に示した周知及び単なる設計的な技術事項を組み合わせることによって、当業者が当然予測できると認められる。
　　　　
　iv．よって、本件発明は、刊行物１に記載の発明（引用発明）に基づいて当業者が容易に発明をすることができたものと認められるので、特許法第２９条第２項の規定により特許を受けることができない。
　　　　
　（６）むすび
　以上のとおりであるから、本件請求項１に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１２月６日（２００１．１２．６）
【訂正の要旨】
　訂正の要旨
　訂正の内容
　ｉ．訂正事項ａ
　特許明細書の特許請求の範囲の請求項１の記載を、
　「【請求項１】　遊技盤の遊技部を避けた位置に開口部を設けると共に、この開口部を透光性のケース体で被覆したパチンコ機において、外部からの電源を中継して枠制御基板及び遊技盤制御基板へ分電する配線接続端子及びホールコンピュータとパチンコ機との間で信号やデータの中継を行う配線接続端子並びにパワースイッチを設けた端子基板の表面側に発光体を配設し、この端子基板を上記発光体が上記開口部に臨むように、外枠に対して開閉自在な前枠の背面側に設けた機構枠体に取り付けたことを特徴とするパチンコ機。」
と訂正する。
　ｉｉ．訂正事項ｂ
　特許明細書の段落【０００５】を、
「【課題を解決するための手段】　本発明は、上記に鑑み提案されたもので、遊技盤の遊技部を避けた位置に開口部を設けると共に、この開口部を透光性のケース体で被覆したパチンコ機において、外部からの電源を中継して枠制御基板及び遊技盤制御基板へ分電する配線接続端子及びホールコンピュータとパチンコ機との間で信号やデータの中継を行う配線接続端子並びにパワースイッチを設けた端子基板の表面側に発光体を配設し、この端子基板を上記発光体が上記開口部に臨むように、外枠に対して開閉自在な前枠の背面側に設けた機構枠体に取り付けたものである。」と訂正する。
　ｉｉｉ．訂正事項ｃ
　特許明細書の段落【０００６】を、
「【作用】　端子基板の表面側に発光体を配設し、この端子基板を上記発光体が上記開口部に臨むように、外枠に対して開閉自在な前枠の背面側に設けた機構枠体に取り付けたので、端子基板の表面側に配置した発光体が開口部に臨み、この発光体が発する光を、遊技部を避けた位置に開設した開口部から透光性を有するケース体を介して視認することができると共に、端子基板に設けた配線接続端子により電気機器の配線を接続可能であり、端子基板の表面側及び裏面側を有効活用する。」と訂正する。
　ｉｖ．訂正事項ｄ
　特許明細書の段落【００６１】を、
「【発明の効果】　以上要するに本発明は、遊技盤の遊技部を避けた位置に開口部を設けると共に、この開口部を透光性のケース体で被覆したパチンコ機において、外部からの電源を中継して枠制御基板及び遊技盤制御基板へ分電する配線接続端子及びホールコンピュータとパチンコ機との間で信号やデータの中継を行う配線接続端子並びにパワースイッチを設けた端子基板の表面側に発光体を配設し、この端子基板を上記発光体が上記開口部に臨むように、外枠に対して開閉自在な前枠の背面側に設けた機構枠体に取り付けたので、パチンコ機における表示灯を簡単に構成することができ、発光体が破損した場合であっても、容易に交換可能であり、製造時の組立作業、遊技店における維持・管理作業等、作業能率が著しく向上する。」と訂正する。
（５４）【発明の名称】
パチンコ機
（５７）【特許請求の範囲】
　【請求項１】　
遊技盤の
　
外部からの電源を中継して枠制御基板及び遊技盤制御基板へ分電する配線接続端子及びホールコンピュータとパチンコ機との間で信号やデータの中継を行う配線接続端子並びにパワースイッチを設けた
、外枠に対して
前枠の背面側に設けた機構
た
【発明の詳細な説明】
　【０００１】
　【産業上の利用分野】
　この発明は、パチンコ機に関し、特に表示灯に関するものである。
　【０００２】
　【従来の技術】
　周知のように、パチンコ機の遊技盤には、打球が入賞口へ入賞し、賞球を排出する時に点灯する賞球表示灯、或は賞球を貯留しておく上タンクが空になった場合等に点灯する完了表示灯が、遊技盤の表面側においてガイドレールで囲まれた遊技部の左右上方に設けてある。これらの賞球表示灯及び完了表示灯は、一般に、遊技盤の所定位置に開口部を開設し、この開口部に遊技盤の裏面側から基板に設けたランプを臨ませて構成してある。
　【０００３】
　ところで、近年のパチンコ機はユニット化が進み、各種電気機器の配線は配線基板ないしターミナルボックス等を介して接続される傾向がある。そして、上記配線基板ないしターミナルボックス等に、ランプやヒューズを設けたものが、実公昭５６−５２９４８号公報や実開昭６３−１０３６７５号公報、実開昭６３−１４６６８８号公報、実開昭６３−１８６４７８号公報等により知られている。
　【０００４】
　【発明が解決しようとする課題】
　しかしながら、従来のパチンコ機に設けた配線基板等の交換は容易ではないし、ランプは配線基板等の裏面側（遊技盤に接しない側）に設けてあるので、ランプの光を遊技盤の表面側へ導くためには、配線基板等に透孔を開けなければならなかった。従って、配線基板等の構造が複雑になるし、当該配線基板の強度が低下する場合もあった。また、ランプは断線することがあるので交換が必要となるが、従来の配線基板等に設けたランプの交換は狭く込み入った部分で作業しなければならず、煩雑で能率の悪いものであった。
　【０００５】
　【課題を解決するための手段】
　本発明は、上記に鑑み提案されたもので、
遊技盤の
外部からの電源を中継して枠制御基板及び遊技盤制御基板へ分電する配線接続端子及びホールコンピュータとパチンコ機との間で信号やデータの中継を行う配線接続端子並びにパワースイッチを設けた
、外枠に対して
前枠の背面側に設けた機構
た
　【０００６】
　【作用】
　
端子基板の表面側に発光体を配設し、この端子基板を上記発光体が上記開口部に臨むように、外枠に対して開閉自在な前枠の背面側に設けた機構枠体に取り付けたので
　【０００７】
　【実施例】
　以下、本発明を図面の実施例について説明すると、図１はパチンコ機１の一部を欠截した正面図であって、窓部を有して額縁状の前枠２の一側を外枠３に開閉可能に蝶着し、上記窓部には金枠４を設け、該金枠４の上方部分にはガラスを装着したガラス枠５を開閉可能に軸着し、上記外枠３及びガラス枠５を施錠装置６で施錠する。また、ガラス枠５の下方部分には上皿７を設けたフロントプレート８等からなる上受皿セット９を設け、前枠２の下方部分には下皿１０を設けた下受皿セット１１を設ける。尚、上記上受皿セット９の裏面側の遊技盤載置台１４には上皿７から後述する打球発射装置１２へ球を一個宛に供給する球送り装置１３やスピーカＳＰが位置する。スピーカ音は上皿７のスリット７′を通して放声する。
　【０００８】
　そして、上記前枠２の窓部には、この窓部を塞ぐように遊技盤載置台１４に載せて交換可能とした遊技盤１５を臨ませる。遊技盤１５の表面側にはガイドレール１６で囲まれる遊技部１７を形成すると共に、当該遊技部１７内に可変表示装置１８や変動入賞装置１９等の各種役物、始動口２０や各種入賞具２１ａ，２１ｂ、風車２２ａ，２２ｂ、或は各種表示灯２３等を配設し、最下位置にアウト口２４を配設する。また、ガイドレール１６の外側で右側の上方部分には完了表示灯Ｌ２を、左側の上方部分には賞球表示灯Ｌ１を設ける。更に、前枠２の上縁には外部表示灯２５を設ける。
　【０００９】
　上記下受皿セット１１の前面側には後述する打球発射装置１２により遊技部１７に打ち込む打球の飛距離を調整するための操作グリップ２６を設ける。
　【００１０】
　打球発射装置１２は、例えば発射ソレノイド２７を駆動源とし、所定の周期、例えば１分間に９９回供給される駆動パルスにより、発射位置にある球を発射レール２８に沿って遊技部１７内に発射する。打球の飛距離調整は、グリップ２６に内蔵した可変抵抗器の抵抗値を遊技者が操作レバー２６′を操作することにより、発射ソレノイド２７に供給する電圧を調整して行う。尚、グリップ２６にはタッチセンサが設けてあり、このタッチセンサに遊技者が触れていない状態では上記駆動パルスが送出されないようになっている。
　【００１１】
　また、上記発射ソレノイド２７のプランジャの摺動に連動して球送り装置１３が作動し、上皿７に連通する球送り通路を通して発射位置に１個宛に供給する。球送り通路の球入口２９には上皿シャッタ３０を設け、この上皿シャッタ３０を上皿ソレノイド（ＳＯＬ３）により制御する。この上皿ソレノイド（ＳＯＬ３）は、ラッチングソレノイドからなり、当該ソレノイドのプランジャに、リンク機構を介して上皿シャッタ３０を連絡する。リンク機構の各リンク片は適宜フロントプレート８及び遊技盤載置台１４に軸着されている。
　【００１２】
　そして、例えば、後述する上タンク３１が空になって同じく後述する完了基板ユニット３２の完了スイッチ（ＳＷ０）がオフ（”Ｌ”レベル）になると、完了基板３３に設けた完了表示灯Ｌ２が点灯し、”Ｌ”レベルが所定時間（例えば４秒）継続すると、プランジャが突出する方向に上皿ソレノイド（ＳＯＬ３）を駆動し、上皿シャッタ３０を閉じる。球の補給が完了して完了スイッチ（ＳＷ０）がオン（”Ｈ”レベル）すると、上皿ソレノイド（ＳＯＬ３）を吸引する方向に駆動して上皿シャッタ３０を開放して、打球発射を可能にする。
　【００１３】
　一方、図２はパチンコ機１の背面図であって、上記前枠２の背面側には、遊技盤１５を着脱自在に収納する皿枠状の金属板からなるリヤプレート（機構板）３４を添設し、このリヤプレート３４の背面側にはベース本体３５等の機構枠体を設ける。尚、この機構枠体はパチンコ機１の背面側における主要部材を前枠２の裏面側に取り付けるための部材の総称である。そして、上記ベース本体３５に向かって左側の上方部分には、賞球を貯留しておく上タンク３１を着脱自在に設けると共に、この上タンク３１に連通して所定数の賞球を遊技者に払い出す賞球払出装置３６に上タンク３１の球を誘導する下タンク３７を設ける。また、上タンク３１の右側位置には、後述する枠制御回路（基板）とホールコンピュータ等の外部とを電気的に接続する本体端子板３８を配置すると共に、遊技盤１５の裏面側に止着した後述する遊技盤制御回路と外部及び上記本体端子板３８とを電気的に接続する中継端子板３９が臨む配線通過口４０を開設する。
　【００１４】
　上記リヤプレート３４には蝶番４１を介して機構枠体の一種である機構枠セット部材４２を開閉可能に蝶着する。この機構枠セット部材４２は閉止時にリヤプレート３４の所定部分を覆う部材であって、上記下タンク３７に連通する賞球樋４３や賞球払出装置３６を形成すると共に、当該賞球払出装置３６が払い出す賞球を賞球出口４４（リヤプレート３４の上皿入口４５）を通して上皿７に導く賞球放出路４６等を形成する。また、上記機構枠セット部材４２には遊技盤１５の後方ほゞ中央部分を覆うリヤカバー４７を形成し、当該リヤカバー４７の下縁部分には入賞球の誘導路４８や入賞球を入賞球処理装置４９に導く整流樋ユニット５０を設ける。更に、上記リヤカバー４７の側方部分には後述する遊技盤制御回路を収設した遊技盤制御ボックス５１に対応する開口窓５２を開設し、該開口窓５２の側縁に沿って配線押え部５３を形成する。
　【００１５】
　上記整流樋ユニット５０は、図７に示す固定側部材５０ａと図８に示す可動側部材５０ｂを蝶着手段５０ｃにより回動可能に組み立てたもので、組立状態においてほゞ横Ｕ字状に曲折する整流路５０′を形成している。
　【００１６】
　固定側部材５０ａは、機構枠セット部材４２に後述するベース板５４と共に固定される部材であって、整流路５０′の下半部分５０′ａを形成する。この固定側部材５０ａは、下面が開放する箱枠状の基部５０ａ１と、図７において基部５０ａ１の右方に延在する取付部５０ａ２と、上記基部５０ａ１の左方に延在すると共に適度な傾斜を有し、上面が開口する樋状部５０ａ３とを有する。樋状部５０ａ３は各断面図に示すように、上流側において開口縁が拡幅すると共に隔壁部５０ａ４の高さが高く、下流端において入賞球処理装置４９の入賞球誘導路５５に連通する。尚、整流路５０′は流下端付近において屈曲し、取付ボス５０ａ５の逃げを設けてある。
　【００１７】
　上記基部５０ａ１の下面側には蝶着手段５０ｃを構成する支軸部材５０ｃ１を止着するための支柱５０ａ６を設けると共に、支軸部材５０ｃ１の軸ピン５０ｃ２の先端部を受け止める受筒部５０ａ７を設ける。また、基部５０ａ１の右方に延設した取付部５０ａ２には適宜リブ５０ａ８を設けてネジを通す通孔５０ａ９を設ける。
　【００１８】
　一方、可動側部材５０ｂは、整流路５０′の上半部分５０′ｂを形成し、上記蝶着手段５０ｃにより固定側部材５０ａに回動自在に軸着される。この可動側部材５０ｂは閉止状態において上記固定側部材５０ａの整流路５０′の下半部分５０′ａの上部を覆う閉止リブ５０ｂ１及び遊技盤１５から流下してくる入賞球を整流路５０′に誘導可能な緩い傾斜を設けた誘導板部５０ｂ２を有している。この可動側部材５０ｂにおける整流路５０′ｂは、ベース板５４側の端部では開口幅は広いが深さは浅く、固定側部材５０ａとの連通部に向かうに従って幅が狭められて一列に整列される。尚、整流路５０′ｂの途中に傾斜が変わる傾斜段部５０ｂ３が設けてある。また、整流路５０′ｂの一方（外側）の立壁部５０ｂ４の上縁にはテーパー部５０ｂ５が設けてあり、入賞球がスムーズに整流路５０′ｂに落下するようになっている。
　【００１９】
　可動側部材５０ｂの基端側には蝶着手段５０ｃの軸ビン５０ｃ２を挿通可能な軸孔５０ｂ６を有する軸受部５０ｂ７を延設する。また、可動側部材５０ｂと固定側部材５０ａとの閉止状態を保持するために、例えば、可動側部材５０ｂの誘導板部５０ｂ２の隅部に透孔５０ｂ８を設けると共に、固定側部材５０ａの対応する位置に突起５０ａ１０を設け、上記透孔５０ｂ８と突起５０ａ１０とを嵌合可能とする。
　【００２０】
　上記のような可動側部材５０ｂと固定側部材５０ａとを回動自在に組み付けるには、支軸部材５０ｃ１の軸ピン５０ｃ２を可動側部材５０ｂの軸孔５０ｂ６から固定側部材５０ａの受筒部５０ａ７に一連に通すと共に、支軸部材５０ｃ１をビスにより支柱５０ａ６に止着すればよい。尚、固定側部材５０ａと可動側部材５０ｂには適宜位置に補強用のリブが設けてある。
　【００２１】
　上記のようにして構成した整流樋ユニット５０は、整流路５０′の幅や深さ及び閉止リブ５０ｂ１の形状を、入賞球が大量に発生した場合であっても球詰まりを起こすことなく、一列且つ一段に整列させて入賞球処理装置４９へ導くように形成してあるが、万一、球詰まりが発生した場合には可動側部材５０ｂを開放して対処することができる。
　【００２２】
　また、上記機構枠セット部材４２には入賞球処理装置４９を形成したベース板５４を設け、入賞球を導く入賞球誘導通路５５や入賞球処理装置４９に作用した入賞球を排出する入賞球排出通路５６を形成する。更に、遊技盤１５に開設したアウト口２４に連通してアウト球を排出するアウト球通路５７を形成し、該アウト球通路５７にはアウト球検出スイッチ５８を臨ませる。尚、上記機構枠セット部材４２を導電性部材で形成し、上記蝶番を介して球に帯電する静電気をリヤプレート３４に逃すようにするとよい。尚、前記導電性部材は機構枠セット部材４２の機枠部４２′のみに形成してもよい。
　【００２３】
　そして、上記ベース板５４には、後述する枠制御回路と賞球払出装置３６とを電気的に接続するコネクタ５９ａを設け、このコネクタ５９ａは当該機構枠セット部材４２を閉止した場合に枠制御ボックス６０に設けたコネクタ５９ｂと互いに嵌合して接続されるように構成する。尚、このコネクタ５９ａにはレバー機構を設けて、このレバー機構によりコネクタ５９ａ，５９ｂ同士の係脱を容易にするとよい。
　【００２４】
　また、ベース板５４には、下皿１０が満杯になって溢れた球によって作動するオーバーフロースイッチ（ＳＷ５）を設ける。このオーバーフロースイッチ（ＳＷ５）は例えば球圧により回動する受圧レバーでフォトセンサーを作動させるものでもよいし、マイクロスイッチによるものでもよい。尚、このベース板５４には後述する賞球払出装置３６に設けた球抜き機構６１を作動させた際に上タンク３１の球をパチンコ機１の外部に排出する球抜き樋６２を形成してある。
　【００２５】
　そして、パチンコ機１の背面図においては、遊技盤１５の裏面側の所定位置、例えば遊技盤１５の裏面に向かって左側部分には、遊技盤１５の前面側に配置する可変表示装置１８や変動入賞装置１９等、主に遊技盤１５に配置した電気機器の制御を行う遊技盤制御回路を形成した遊技盤制御基板を収設する遊技盤制御ボックス５１が現れ、また、上記機構枠セット部材４２から外れた下方位置のリヤプレート３４には、打球発射装置１２、入賞球処理装置４９、賞球払出装置３６等、主にパチンコ機本体側の制御処理を行う枠制御回路を形成した枠制御基板を収設する枠制御ボックス６０が現れている。
　【００２６】
　上記枠制御ボックス６０の前方位置には打球発射装置１２の駆動部や上皿７から球を１個宛に供給する球送り装置１３等を配設する。そして、上記機構枠セット部材４２の下方位置には上皿７から溢れた球を下皿１０へ誘導する流下樋６３を設ける。尚、この流下樋６３は導電性部材で形成し、ビスにてリヤプレート３４に止着することにより球に帯電する静電気をリヤプレート３４に逃すようにするとよい。
　【００２７】
　上タンク３１はベース本体３５に着脱可能に取り付けられており、この上タンク３１には球の残存を検出する検出手段を備える完了基板ユニット３２を着脱自在に設ける。この完了基板ユニット３２は、本発明に係る表示灯の一種を構成するもので、枠ケース３２′内に検出スイッチや発光ダイオード等を配設した端子基板としての完了基板３３を収設してなる。
　【００２８】
　上記上タンク３１は、上面及び背面側が開口すると共に球落下口６４を有する箱枠状のタンク本体６５をベース本体３５に組み付けてなり、ベース本体３５に設けた止着溝６６にタンク本体６５の縁部６５ａを嵌め付け、ベース本体３５の透孔に通したビスで固定する。尚、組立に際しては、後述する検出部材６７を支軸６８に揺動自在に挿着すると共に導電性のアース板６９を挟着し、ビス７０をリヤプレート３４に螺着して球に帯電する静電気をリヤプレート３４に逃す。また、タンク本体６５の一隅部には図１１に示すように球が滞留しないように誘導リブ７１を設ける。また、アース板６９を挟着する代わりに上タンク３１を導電性部材で形成してもよい。
　【００２９】
　上記検出部材６７は、端子基板の一例として図１５に示すように配置した完了基板３３に設けた検出スイッチ７２に対して作用し、例えば図１１或は図１４に示すように、扇型のウエイト部６７ａを有し、該ウエイト部６７ａから受圧片６７ｂが下方へ延在すると共に、上方へは検出スイッチ７２のアクチュエータ７２′に当接可能な作動片６７ｃが延在する。そして、この検出部材６７は、上タンク３１内に所定量の球が残存する場合に球圧により起立状態にあり、作動片６７ｃがアクチュエータ７２′に作用している。一方、上タンク３１の球が所定量以下に減少して球圧がなくなると、検出部材６７が検出スイッチ７２の有している復帰バネ（図示せず）の作用でアクチュエータ７２′を回動して検出スイッチ７２のアクチュエータ７２′に対する作動片６７ｃの押圧を解除し、検出スイッチ７２が作動する。尚、検出スイッチ７２はソケット７３を介して２個並設してあり、一方の検出スイッチ７２は球の補給（玉切れ）に関連し、他方の検出スイッチ７２は完了（打止め）に関連する完了スイッチ（ＳＷ０）となる。
　【００３０】
　上記完了基板３３の下縁には、ベース本体３５に設けたコネクタ７４ａに対応し、配線接続端子としてのコネクタ７４ｂを設け、完了基板ユニット３２を着脱する際に完了基板３３を電気的に継断可能とする。尚、上記コネクタ７４ｂと検出スイッチ７２或は発光ダイオード７５等とは図１６の配線図のようにプリント配線してある。
　【００３１】
　上記発光ダイオード７５は、完了表示灯Ｌ２を構成するもので、当該発光ダイオード７５の発光状態を遊技者が視認可能なように、完了基板３３の表面側、即ち遊技盤１５側に配置してある。また、遊技盤１５には開口部としての表示窓７６を開設すると共に、当該表示窓７６の前面側には着色やダイヤカットを施した透光性を有する完了ケース７７を設ける。尚、この実施例においては発光ダイオード７５を３個直列に接続してある。
　【００３２】
　上記のような完了基板３３を収設した枠ケース３２′には、弾性変形可能な操作片３２ａを設け、当該操作片３２ａを湾曲させることによりベース本体３５の係止部３５ａに係合する係合片３２ｂを外して、完了基板ユニット３２を着脱可能とする。従って、端子基板としての上記完了基板３３は実質的に遊技盤１５に対して着脱自在となり、上記完了基板ユニット３２を交換することで、完了表示灯Ｌ２や完了スイッチ（ＳＷ０）の交換を極めて容易に行うことができる。
　【００３３】
　上記上タンク３１の下側に位置して上タンク３１の球落下口６４に連通する下タンク３７は、支軸部３７ａによりベース本体３５に対して手前側に回動可能に止着してあり、この下タンク３７の下流側には賞球払出装置３６が位置する。この下タンク３７は、上タンク３１から不規則に重なり合った状態で流下する球を、一列に整列させると共に、適宜な速度で賞球払出装置３６に球を供給する。尚、この下タンク３７は、通常はロック機構７８ａにより機構枠体に止着されて、球出口３７ｂが機構枠セット部材４２に設けた賞球樋４３の球入口に連通しているが、球詰まり等が発生した場合には、ロック機構７８ａを解除して下タンク３７を支軸部３７ａを支点に開放可能である。また、機構枠セット部材４２は、通常ロック機構７８ｂにより機構枠体に止着されているが、ロック機構７８ｂを解除して機構枠セット部材４２を開放した際には、図示していないスプリングによりストッパ機構３９が作動して、球出口３７ｂを閉止するようになっている。
　【００３４】
　上タンク３１の右方のベース本体３５には、本発明に係る表示灯の一種である賞球表示灯Ｌ２を構成する端子基板としての本体端子板３８を設ける。この本体端子板３８は外部からの電源を中継したり、ホールコンピュータと各パチンコ機１との間で信号やデータの中継を行うと共に遊技者に打球の入賞及び賞球の排出を可視表示するための賞球表示灯Ｌ１を構成するものである。
　【００３５】
　上記本体端子板３８の裏面側には、配線接続端子として例えば図１９に示すように、外部電源に接続する電源端子ＣＮ６、ホールコンピュータと各パチンコ機１との間に介在させるリレー基板へ接続するリレー基板中継コネクタ端子ＣＮ５、枠制御基板へ電源を供給する枠制御基板分電端子ＣＮ４、枠制御基板へ接続する枠制御基板中継コネクタ端子ＣＮ１、パチンコ機１の前枠２の上縁に設けた外部表示灯２５へ接続するトップランプ端子ＣＮ１０、効果音等を発声するスピーカＳＰ等へ接続するスピーカ端子ＣＮ９、遊技盤制御基板へ接続する遊技盤制御基板中継コネクタ端子ＣＮ２、遊技盤制御基板へ電源を供給する分電端子ＣＮ３等を配設すると共に、パワースイッチＰＳＷ及びリレーＲＥＬ、該リレーＲＥＬを制御するハイブリッドＩＣ、電源回路中に挿入させたヒューズＦ１，Ｆ２及びヒューズ切れ表示灯ＦＣＬ１，ＦＣＬ２としての発光ダイオードＬＥＤ１，ＬＥＤ２、或は電圧異常状態を表示する電圧異常表示灯ＥＬとしての発光ダイオードＬＥＤ３、ノイズ防止のサージアブソーバ等を配設し、図２０のように適宜プリント配線する。尚、上記本体端子板３８には、不正遊技を防止するため、磁気検出スイッチやガラス枠開放スイッチ等を接続する不正検出スイッチ端子を配設してもよい。また、本実施例のように可変表示装置１８の図柄を停止するストップボタンＳＴＢを本体端子板３８を利用して接続するようにしてもよいし、遊技盤制御基板に直接接続するようにしてもよい。
　【００３６】
　上記のような構成の本体端子板３８は、機構枠体（ベース本体３５）に設けた係止爪３５ｂにより着脱自在に取り付けてあり、これにより上記本体端子板３８は端子基板として遊技盤１５に対して実質的に着脱自在となる。また、上記本体端子板３８には後述するカバー８０を被着する。尚、上記係止爪３５ｂは機構枠体と合成樹脂で一体に成型してもよいし、別個に成型して端子板取付部を形成するようにしてもよい。そして、上記本体端子板３８の一隅にプリント配線部を露出させたアース部８１を設けると共に、このアース部８１に通孔８１ａを開設し、該通孔８１ａに通した取付ビスをリヤプレート３４に螺着して本体端子板３８を接地する。また、機構枠体の上タンク３１の側方には、遊技盤制御基板に接続した配線コード等、機構枠体と遊技盤１５との間に通した配線コードを引き出す配線通過口４０が開設してある。
　【００３７】
　本体端子板３８に被着するカバー８０は、図１８に示すように、半透明樹脂からなるほゞ箱枠状であって、係止爪８０ａ，８０ｂや係止リブ８０ｃにより機構枠体のベース本体３５に着脱自在に構成してあり、表面には主要な部材の説明書きを印刷したプレート８０′が添設してある。尚、このプレート８０′はアルミニウム板からなっており、内部が透視できないようになっているが、前記したヒューズ切れ表示灯ＦＣＬ１，ＦＣＬ２及び電圧異常表示灯ＥＬを形成する発光ダイオードＬＥＤ…に対応する位置には表示口８０ｄ，８０ｅ，８０ｆを開設して当該発光ダイオードＬＥＤ…の発光状態を確認できるようになっている。また、このカバー８０からはパワースイッチＰＳＷの操作レバーが通孔８０ｇを通して外部操作が可能なよう臨んでいる。
　【００３８】
　一方、上記本体端子板３８の表面側、即ち遊技盤１５側には、賞球表示灯Ｌ２を構成する発光ダイオード８２を設け、この発光ダイオード８２の発光状態を遊技盤１５に開設した開口部としての表示窓８３から遊技者に可視表示可能とする。また、遊技盤１５の表示窓８３には着色やダイヤカットを施した飾りケース８４を取り付けてある。尚、この実施例では発光ダイオード８３を３個直列に接続して賞球表示灯Ｌ２として充分な光量を得ている。
　【００３９】
　更に、この実施例では、上記飾りケース８４及び完了ケース７７から遊技盤１５にかけて不正遊技防止のため、ピアノ線等の挿入を阻止する不正防止壁８５を設けてある（図１０参照）。
　【００４０】
　上記のような構成の本体端子板３８によれば、各種電気機器の配線を合理的に中継可能であるばかりではなく、賞球表示灯Ｌ１を簡単に構成することができる。また、配線処理が容易で誤配線を起こすことがなく、賞球表示灯Ｌ１の発光体として耐久性に優れた発光ダイオードを利用しているので、ランプのように断線の虞れがない。しかも、本体端子板３８を容易に着脱することができるので、万一、発光ダイオードに不都合が生じた場合でも、交換が極めて簡単であり、実用的価値が極めて高い。
　【００４１】
　リヤプレート３４の下方部分に設ける枠制御ボックス６０内に収設する枠制御回路は、例えば図２１のブロック図に示すように４ビットＣＰＵを中心として構成すると共に、図２２に示すように各部材が配置してある。即ち、発射ソレノイド２７を停止するグリップ２６に設けたストップボタンＳＴＡに接続するストップボタン接続端子ＣＮ１、ハンドルセットに接続するハンドル接続端子ＣＮ２、電源（この実施例では本体端子板３８に設けた分電端子）に接続する電源接続端子ＣＮ３、発射ソレノイド２７に接続する発射ソレノイド接続端子ＣＮ４、本体端子板３８に接続する基板接続端子ＣＮ５、完了基板３３に接続する完了基板接続端子ＣＮ６、上皿ソレノイド（ＳＯＬ３）に接続する上皿ソレノイド接続端子ＣＮ７、賞球払出装置３６に接続する賞球払出装置接続端子ＣＮ８が各々配設してある。また、この枠制御基板には、整流回路や検出回路を構成する各種デバイスを適宜配設すると共に、後述する動作状態をコード化して可視表示する２桁の７セグメント発光ダイオードからなるＬＥＤ表示部９０を設けてある。更に、このＬＥＤ表示部９０に隣接して、枠制御回路をリセットするリセットスイッチ（Ｓ１）、ＬＥＤ表示部９０の表示内容を切り換える表示切換スイッチ（Ｓ２）、パチンコ機１内に残存する球を排出する排出スイッチ（Ｓ３）を設ける。
　【００４２】
　上記のような枠制御回路（基板）において、遊技盤制御回路及びホールコンピュータと信号のやり取りを行う部分には、フォトカプラを用いたフォトアイソレーション部を形成して、ノイズに対する保護、信号の電圧レベル差等を考慮してある。即ち、枠制御回路に対して、ホールコンピュータから入力されて強制完了（打止め）用の入力信号であるＨ入力、遊技盤制御回路から供給されてフォトカプラ駆動用電源である＋１２ＶＩＮ入力、遊技盤制御回路に対して出力される賞球問合せ信号であるＩＮＱ出力、遊技盤制御回路から入力される賞球個数信号であるＳＰＵＬＳＥ入力、遊技盤制御回路から入力されて上記ＳＰＵＬＳＥ入力の読み取りを指示するＲＥＡＤＹ入力は、夫々フォトカプラを介して入出力されている（図２１参照）。
　【００４３】
　また、上記のような機構枠体であるベース本体３５″に設けた枠制御回路（基板）と上記本体端子板３８との間の配線コード９１を適宜チューブ９２に挿通し、このチューブ９２をリヤプレート３４に設けた機構枠体であるベース本体３５′に設けたチューブ把持爪９３により止着すると共に、下タンク３７と機構枠体との間を通して止着バンド９４等により配線処理する。
　【００４４】
　遊技盤１５には、前記したように表面側に可変表示装置１８や変動入賞装置１９を配置すると共に、各種の入賞装置や多数の障害釘を配置した遊技部１７を形成するが、裏面側には、前枠２のベース本体３５に設けた本体端子板３８と遊技盤制御回路（基板）とを中継すると共に遊技情報をホールコンピュータ等の外部に中継する中継端子板３９を設ける。この中継端子板３９はベース本体３５に開設した配線通過口４０に対応する位置に設けてあり、中継端子板３９はセット板１４５にビス３９ａにより止着すると共に、中継端子板３９の裏面に設けた位置決め凸部３９ｂを遊技盤１５の背面に設けた凹部に位置決めした後に、取付孔３９ｃにネジ止めされている。尚、３９ｄは配線押えである。前記中継端子板３９には本体端子板３８に接続する雌型の中継接続端子ＣＮ１と、本体端子板３８の分電端子から遊技盤制御回路へ供給する電源を中継する雌型の電源中継接続端子ＣＮ２と、ホールコンピュータ等に送出する遊技情報を中継する雌型の遊技情報中継接続端子ＣＮ３とを有している。
　【００４５】
　そして、上記中継接続端子ＣＮ１には中継端子板３９と遊技盤制御回路との間に介在させる役物中継基板へ結合する配線コード（電源コードを含む）が接続してあり、この中継接続端子ＣＮ１と本体端子板３８の遊技盤制御基板中継コネクタ端子ＣＮ２とを中継コードにより接続する共に、電源中継接続端子ＣＮ２と本体端子板３８の分電端子ＣＮ３とを中継コードにより接続する。このように遊技情報中継接続端子ＣＮ３を遊技盤側に設け、パチンコ機１とホールコンピュータとを接続するリレー基板中継コネクタ端子ＣＮ５を前述した本体端子板３８に、夫々設けることにより、配線の作業性を向上すると共に、配線の状態が外部から容易に識別できるので、不正改造の防止にもなる。
　【００４６】
　次に、上記のような構成のパチンコ機１の動作を簡単に説明する。電源を投入すると、枠制御回路はラッチングソレノイドからなる賞球払出ソレノイドＳＯＬ１、入賞球ソレノイドＳＯＬ２、上皿ソレノイドＳＯＬ３を夫々所定時間例えば５０ｍｓ宛に吸方向へ順次駆動すると共に、ＬＥＤ表示部９０に初期化表示”００”を表示する。
　【００４７】
　遊技者が操作グリップ２６を握ってタッチ入力が”Ｌ”になると、１分間に９９回の駆動パルスを発射ソレノイド２７に出力して打球の発射が可能になる。尚、上記タッチ入力が”Ｌ”でもオーバーフロースイッチＳＷ５が３秒以上”Ｈ”になると発射パルスを禁止し、また、外部入力から”Ｈ”入力（発射制御信号）を感知している間は発射を禁止して打球の発射ができない。
　【００４８】
　そして、遊技者が発射した打球が入賞口へ入賞した場合には、この入賞球球は遊技盤１５の背面側へ取り込まれて球寄せ通路を通って入賞球処理装置４９へ導かれる。入賞球処理装置４９において、入賞球検出スイッチＳＷ３が入賞球を検出してオンすると、賞球表示灯Ｌ１が点灯し、入賞球ソレノイドＳＯＬ２を突方向へ５０ｍｓ駆動する。この時、入賞球は入賞球検出スイッチＳＷ３の位置から入賞球確認スイッチＳＷ４の位置に移動する。また、枠制御回路は、上記と同時に遊技盤制御回路に対して入賞球の存在を知らせるＩＮＱ信号（賞球問い合わせ信号、入賞球を感知した場合に枠制御回路から遊技盤制御回路に対して出力され、遊技盤制御回路に賞球個数信号であるＳＰＵＬＳＥ信号の送出を促す）を送信する。一方、遊技盤制御回路は、ＲＥＡＤＹ信号（待機信号）と、当該ＲＥＡＤＹ信号と同期してＳＰＵＬＳＥ信号（賞球数信号）を返送する。そして、枠制御回路は上記ＳＰＵＬＳＥ信号に基づいて賞球個数を決定し、この賞球個数をＬＥＤ表示部９０に表示する。尚、上記各信号は本体端子板３８及び中継端子板３９並びに役物中継端子板を経由して枠制御回路と遊技盤制御回路との間で交信される。
　【００４９】
　そして、枠制御回路は賞球検出スイッチＳＷ１が連続して例えば５００ｍｓ以上”Ｈ”であることにより賞球樋に球があることを確認後、賞球払出ソレノイドＳＯＬ１を突方向へ駆動へ５０ｍｓ駆動し、賞球の払出を開始する。
　【００５０】
　賞球個数を賞球計数検出スイッチＳＷ２が読取り、ＳＰＵＬＳＥ信号による個数と一致すると賞球払出ソレノイドＳＯＬ１を吸方向に５０ｍｓ駆動し、賞球の払出を停止する。また、これと同時に入賞球ソレノイドＳＯＬ２を吸方向に５０ｍｓ駆動して入賞球を排出し、更に賞球表示灯Ｌ１を消灯して賞球動作を終了する。尚、賞球検出スイッチＳＷ１が５００ｍｓ以上連続して”Ｈ”の状態を検出しないと賞球の払出を行わず、この状態が３秒以上継続すると、賞球動作を中断して条件が整うまでＬＥＤ表示部９０に”Ｅ１”を表示する。そして、賞球検出スイッチＳＷ１が５００ｍｓ連続して”Ｈ”となれば、エラーを解除して賞球動作を再開する。
　【００５１】
　外部から発射制御信号（Ｈ入力）が送られていない”Ｌ”レベルのときに、上タンクに球が無くなり完了スイッチＳＷ０が”Ｌ”になると、完了表示灯Ｌ２が点灯し、完了スイッチＳＷ０のオンが４秒以上続くと上皿ソレノイドＳＯＬ３を突方向へ５０ｍｓ駆動して上皿シャッタ３０を閉じ、球の供給を停止する。一方、完了スイッチＳＷ０がオフして”Ｈ”になると、完了表示灯Ｌ２を消灯し、上皿ソレノイドＳＯＬ３を吸方向に５０ｍｓ駆動し、上皿シャッタ３０を開放する。尚、外部から発射制御信号（Ｈ入力）が入力されて”Ｈ”レベルのときは、完了スイッチＳＷ０の状態に関係なく完了表示灯Ｌ２を点灯すると共に、発射ソレノイド２７の出力を停止する。
　【００５２】
　下皿１０に球が一杯になってオーバーフロースイッチＳＷ５が３秒以上”Ｈ”（球有り状態）になると、賞球払出し動作を停止する。尚、賞球払出し中に”Ｈ”になると、その回の動作が終了するまでは、賞球払出ソレノイドＳＯＬ１及び入賞球ソレノイドＳＯＬ２は作動する。
　【００５３】
　アウト球通路５７に設けたアウト球検出スイッチ５８からＯＴ入力として入力されるアウト球の個数と入賞球数（賞球動作回数）とを合算し、合計が１０になる毎にＯＴ信号（アウト球情報）を１パスル（６０ｍｓ）出力する。また、払い出した賞球数を累積し、賞球数が１０個になる毎にＳＫ信号（賞球数量情報）を１パスル（６０ｍｓ）出力する。尚、１０に満たない余り数は、リセットか電源がオフされない限り枠制御回路内の内部メモりに残り、次の賞球数に加算される。
　【００５４】
　枠制御基板に設けた排出スイッチＳ３を押すと、賞球払出動作を実行することなく入賞球を全て強制的に排出することができる。即ち、排出スイッチＳ３を２００ｍｓ以上押すと排出モードとなり、賞球払出ソレノイドＳＯＬ１、入賞球ソレノイドＳＯＬ２が吸動作する。そして、入賞球検出スイッチＳＷ３が入賞球を検出して”Ｈ”ならば入賞球ソレノイドＳＯＬ２が突動作を行い、入賞球が入賞球確認ＳＷ４の位置へ移動する。枠制御回路は賞球動作と同様に遊技盤回路に対してＩＮＱ信号を送信し、ＲＥＡＤＹ信号及びＳＰＵＬＳＥ信号の返送を確認する。一方、遊技盤回路はＲＥＡＤＹ信号及びＳＰＵＬＳＥ信号を送信して入賞球記憶を１減算する。入賞球が入賞球検出スイッチＳＷ３から入賞球確認ＳＷ４へ移動したのを確認すると、入賞球ソレノイドＳＯＬ２は吸動作を行い、この吸動作により入賞球が排出され、１個の排出動作が終了する。そして、３秒間入賞球検出スイッチＳＷ３に次の入賞球（排出すべき球）が有るか確認し、入賞球が有れば上記排出動作を繰り返し、入賞球がなければ１秒間待機した後、リセットして排出モードを終了する。
　【００５５】
　賞球払出ソレノイドＳＯＬ１、入賞球ソレノイドＳＯＬ２、上皿ソレノイドＳＯＬ３は、次に逆方向の動作が有るまで、５秒間隔で直前に駆動された方向と同じ方向に動作し、動作を確実なものとしている。尚、賞球動作や排出動作等他の動作と重なった場合には他の動作を優先する。
　【００５６】
　電源部では入力ＡＣ２４Ｖを全波整流してＤＣ２４Ｖ（脈流）を得ているが、何等かの原因で停電して約ＤＣ１５．５Ｖに低下すると、停電検出部が作動して瞬停検出信号”Ｈ”が出力される。この瞬停検出信号が出力されると、速やかに賞球ソレノイドＳＯＬ１を吸方向に駆動して、誤った賞球動作を防止する。
　【００５７】
　ＬＥＤ表示部９０は、賞球動作中の賞球数を表示すると共に、賞球動作中にエラーが発生した場合には、そのエラー状態に応じて”Ｅ１、Ｅ２、Ｅ３、Ｅ５”を表示する。”Ｅ１”は、賞球検出スイッチＳＷ１の”Ｈ”状態が５００ｍｓ以上連続検出されない場合に３秒後に表示される。このエラーは、上タンク３１または下タンク３７等に賞球用の球がない場合やこの部分で球詰まりを起こした時に発生する。”Ｅ２”は、遊技盤回路からのＳＰＵＬＳＥ数と賞球計数検出スイッチＳＷ２のカウント数が一致しない場合に３秒後に表示する。このエラーは、払い出そうとした個数に対して実際に払い出した個数が不足した場合、もしくは払い出しが途中で停止した場合に発生する。”Ｅ３”は、入賞球ソレノイドＳＯＬ２が吸動作後、入賞球確認ＳＷ４が”Ｌ”にならないか又は、入賞球ソレノイドＳＯＬ２が突動作後に入賞球検出スイッチＳＷ３が”Ｌ”にならない場合や入賞球確認ＳＷ４が”Ｈ”にならない場合に、３秒後に表示する。このエラーは、入賞球が入賞球検出スイッチＳＷ３又は入賞球確認ＳＷ４の部分で停止して排出されない場合に発生する。”Ｅ５”は、枠制御回路がＩＮＱ信号を送出した後、遊技盤制御回路のＲＥＡＤＹ信号がオンにならないか、オンの後オフにならない場合に、３秒後に表示する。このエラーは、遊技盤制御回路が接続されていないか、もしくは接続不良の場合に発生する。そして、エラー状態が復帰すると、ＬＥＤ表示部９０は賞球数を２桁表示するか、または初期状態”００”を表示する。
　【００５８】
　ＬＥＤ表示部９０には各スイッチＳＷ１，２，３，４及びソレノイドＳＯＬ１，２，３の状態を表示することができ、表示状態を表示切替スイッチＳ２により順次切替ることができる。このとき、ＬＥＤ表示部９０の左側のＬＥＤが表示する”１”から”４”までの数字は各々賞球検出スイッチＳＷ１、入賞球検出スイッチＳＷ３、入賞球確認ＳＷ４に対応し、右側のＬＥＤが表示する”０”または”１”の数字は球の有無を示す。例えば、ＬＥＤ表示部９０が”３１”を示しているときの意味は、入賞球検出スイッチＳＷ３が球を検出して”Ｈ”レベル信号を出していることを意味する。また、左側のＬＥＤが表示する”５”から”７”の数字は各々賞球払出ソレノイドＳＯＬ１、入賞球ソレノイドＳＯＬ２、上皿ソレノイドＳＯＬ３に対応し、右側のＬＥＤが示す”０”は吸状態を、”１”は突状態を意味している。例えば、”６０”は入賞球ソレノイドＳＯＬ２が吸状態にあることを示している。
　【００５９】
　尚、上記説明では、枠制御回路からＩＮＱ信号を遊技盤制御回路に送出して賞球の払出を行っているが、上記ＩＮＱ信号に換えて入賞球処理装置４９に設けた入賞球確認スイッチＳＷ４の信号を直接遊技盤制御回路へ入力し、これにより賞球の払出を行うようにすることもできる。
　【００６０】
　以上本発明を図面の実施例について説明したが、本発明は上記した実施例に限定されるものではなく、特許請求の範囲に記載した構成を変更しない限り適宜に実施できる。例えば、実施例では表示灯として完了表示灯及び賞球表示灯を示しているが、何れか一方のみに適用するようにしてもよい。また、端子基板には配線接続端子の他に、スイッチ、ヒューズ、ＩＣ等を配設することもできる。
　【００６１】
　【発明の効果】
　以上要するに本発明は、
遊技盤の
外部からの電源を中継して枠制御基板及び遊技板へ分電する配線接続端子及びホールコンピュータとパチンコ機との間で信号やデータの中継を行う配線接続端子並びにパワースイッチを設けた
、外枠に対して
前枠の背面側に設けた機構
た
【図面の簡単な説明】
　【図１】
　パチンコ機の正面図である。
　【図２】
　パチンコ機の背面図である。
　【図３】
　パチンコ機において機構枠セット部材の一部を欠截した状態の背面図である。
　【図４】
　パチンコ機において機構枠セット部材を開放した状態の背面図である。
　【図５】
　遊技盤の背面図である。
　【図６】
　整流樋ユニットを示し、（Ａ）は平面図、（Ｂ）は正面図である。
　【図７】
　整流樋ユニットの固定側部材を示し、（Ａ）はＡ−Ａ線端面図、（Ｂ）はＢ−Ｂ線端面図、（Ｃ）はＣ−Ｃ線端面図、（Ｄ）は平面図、（Ｅ）は正面図である。
　【図８】
　整流樋ユニットの可動側部材を示し、（Ａ）はＡ−Ａ線端面図、（Ｂ）はＢ−Ｂ線端面図、（Ｃ）は平面図、（Ｄ）は正面図である。
　【図９】
　ベース本体に上タンク、下タンク、本体端子板を取り付けた状態を示す背面図である。
　【図１０】
　上タンクの平面図である。
　【図１１】
　上タンクの分解斜視図である。
　【図１２】
　図１０のＡ−Ａ線断面図である。
　【図１３】
　図１０のＢ−Ｂ線断面図である。
　【図１４】
　図１０のＣ−Ｃ線断面図である。
　【図１５】
　完了基板の部品配置図である。
　【図１６】
　完了基板の配線図である。
　【図１７】
　本体端子板周辺の縦断面図である。
　【図１８】
　本体端子板のカバーを示し、（Ａ）は平面図、（Ｂ）は左側面図、（Ｃ）は正面図である。
　【図１９】
　本体端子板の部品配置図である。
　【図２０】
　本体端子板の配線図である。
　【図２１】
　枠制御回路のブロック図である。
　【図２２】
　枠制御基板の部品配置図である。
　【符号の説明】
　１　パチンコ機
　２　前枠
　３　外枠
１５　遊技盤
３３　端子基板としての完了基板
３８　端子基板としての本体端子板